(57)【要約】      （修正有）【課題】隣接チャネルの干渉が無い又は所定レベルより弱い場合の性能を改善した、受信機を提供する。【解決手段】ヘテロダイン受信機は、受信信号の周波数を選択するためのチューナと、上記受信信号の上記周波数を中間周波数に変更するための変換器とを備える。単極双投スイッチが、上記変換器の出力に結合された入力と、第１のバンドパスフィルタに接続された第１の出力と、増幅器に接続された第２の出力とを有する。第２のバンドパスフィルタが上記増幅器の出力に結合され、復調器が、上記第２のバンドパスフィルタの出力に結合され、出力信号および特性信号を生成する。論理回路が、上記特性信号を受け取るように結合され、上記特性信号が所定の閾値未満である場合に上記第１のバンドパスフィルタをバイパスする。【選択図】図１
2004166228.tif 000002
【特許請求の範囲】
【請求項１】
受信信号の周波数を選択するように構成されたチューナと、
前記チューナの出力に結合され、前記受信信号の前記周波数を中間周波数に変更する変換器と、
前記変換器の出力に結合された入力を有する単極双投（single-pole/double throw）スイッチと、
前記単極双投スイッチの第１の出力に結合された第１のバンドパスフィルタと、
前記単極双投スイッチの第２の出力と前記第１のバンドパスフィルタとに結合された増幅器と、
前記増幅器の出力に結合された第２のバンドパスフィルタと、
前記第２のバンドパスフィルタの出力に結合され、出力信号および特性信号を生成する復調器と、
前記特性信号を受信するように結合され、前記特性信号が所定の閾値未満である場合に前記第１のバンドパスフィルタをバイパスする論理回路と
を備えるヘテロダイン受信機。
【請求項２】
複数のバンドパスフィルタを備え、該複数のバンドパスフィルタのうち任意のものを選択的にバイパスする手段をさらに備える請求項１に記載の受信機。
【請求項３】
前記特性信号は、前記復調器への入力と前記出力信号との関数である請求項１に記載の受信機。
【請求項４】
前記特性信号は、信号対雑音比、隣接チャネルの干渉強度の推定値、および前記出力信号の推定誤りの関数である請求項３に記載の受信機。
【請求項５】
入力信号の処理方法であって、
前記入力信号を選択周波数で受信することと、
前記選択周波数の前記入力信号を中間周波数に変換することと、
前記中間周波数の前記入力信号をフィルタリングすることと、
出力信号および特性信号を生成するように、前記フィルタリングした入力信号を復調することと、
前記特性信号が所定の閾値未満である場合に前記フィルタリングをバイパスすることと
を含む方法。
【発明の詳細な説明】
【技術分野】
【０００１】
本発明は、包括的にはヘテロダイン通信受信機に関し、特にヘテロダイン受信機における干渉の低減に関する。
【背景技術】
【０００２】
ヘテロダイン受信機において、受信信号は、搬送波信号上に変調された情報を変更することなく、はるかに低い固定中間周波数（ＩＦ）にシフトされる。低い周波数信号のほうが処理し易い。必要となる中間周波数への周波数変換は、通常、受信信号を、当該受信信号と中間周波数分だけ異なる局部的に発生させた信号と混合することによって達成される。
【０００３】
通常のヘテロダイン受信機には、隣接チャネルの信号を除去するように設計された少なくとも１つのバンドパスフィルタがＩＦ段に設けられている。受信機に課される性能要件、すなわち単一のバンドパスフィルタの不十分な除去比は、隣接チャネルからの干渉を適切に低減させるために、さらなるバンドパスフィルタを必要とする場合がある。これらのバンドパスフィルタは、その設計によっては挿入損失が大きくなる可能性がある。
【０００４】
ヘテロダイン受信機は、通常、最悪の隣接チャネル干渉条件下での動作中も必要とされる性能仕様を満たすのに十分なフィルタリング機能（filtering）を持つように設計されているが、そのような干渉が常に存在するわけではない。複数のフィルタは、補償されない場合、受信信号を減衰あるいは普通なら劣化させる可能性がある。これは、特に、一連のフィルタをカスケード接続した場合に当てはまる。これは、挿入損失が加法的であるためである（２０００年８月２９日付けでNaに付与された米国特許第６，１１２，０６９号「低周波信号の減衰特性を抑制する無線受信機および方法（Radio receiver and method for suppressing attenuation properties of a low frequency signal）」を参照）。
【発明の開示】
【発明が解決しようとする課題】
【０００５】
本発明の目的は、隣接チャネル干渉が存在しないか、あるいは所定レベルよりも弱い場合の性能を改善した受信機を提供することである。
【課題を解決するための手段】
【０００６】
本発明による受信機では、隣接チャネルの干渉が所定の閾値未満である場合にバンドパスフィルタをバイパスして受信性能を改善する。好ましい実施の形態では、ヘテロダイン受信機の中間周波数段において用いられるバンドパスフィルタのうちの１つまたは複数と並列にスイッチが追加される。このスイッチを閉じると、バンドパスフィルタの挿入損失がなくなる。したがって、システムの総合利得を増加させ、弱い信号の受信を可能にする。
【０００７】
特に、受信機は、受信信号の周波数を選択するように構成されたチューナと、当該チューナの出力に結合され、上記受信信号の上記周波数を中間周波数に変更する変換器と、当該変換器の出力に結合されたバンドパスフィルタと、当該バンドパスフィルタの出力に結合された増幅器と、当該増幅器の出力に結合され、出力信号および出力特性信号を生成する復調器と、上記特性信号が所定の閾値未満である場合に上記バンドパスフィルタをバイパスするスイッチとを備える。
【発明を実施するための最良の形態】
【０００８】
（システム構造）
図１において、ヘテロダイン受信機１００は、チューナおよびＩＦ変換器１１０と、第１のバンドパスフィルタ１２０と、増幅器１３０と、第２のバンドパスフィルタ１４０と、他の受信機部品１５０と、復調器１６０とを直列接続で備える。単極双投バイパススイッチ１７０がバンドパスフィルタ１２０と並列に結合される。このスイッチは、復調器１６０から特性信号１０２を受け取る論理回路１８０によって制御される。
【０００９】
（システム動作）
受信機１００の動作中、アンテナ１０５が入力信号１０１を受信する。この信号はチューナ１１０を通過し、ヘテロダインプロセスが、選択された受信信号を中間周波数（ＩＦ）に変換する。この信号は、フィルタリングされ（１２０）、増幅され（１３０）、再度フィルタリングされて（１４０）、さらなる処理１５０、例えば付加的な周波数変換を施されてから、出力信号１０９に復調される（１６０）。
【００１０】
復調器１６０は、特性信号１０２を生成する。この信号は、復調器１６０への入力と出力信号１０９との関数、例えば信号対雑音比、隣接チャネルの干渉強度の推定値、および／または出力信号の推定誤りであるが、これらに限定されない。特性信号１０２は、論理回路１８０によって閾値Ｔ１８１と比較される。スイッチ１７０は、出力特性信号１０２が閾値１８１未満である場合に閉じられる。
【００１１】
本発明を好ましい実施の形態の例として説明してきたが、本発明の精神および範囲内で様々な他の適応および変更がなされ得ることが理解されるべきである。したがって、添付の特許請求の範囲の目的は、本発明の真の精神および範囲に含まれる変形および変更をすべて網羅することである。
【図面の簡単な説明】
【００１２】
【図１】本発明に係る受信機のバイパス回路のブロック図である。
【図１】
2004166228.tif 000003
【外国語明細書】
2004166228.tif 000004
2004166228.tif 000005
2004166228.tif 000006
2004166228.tif 000007
2004166228.tif 000008
2004166228.tif 000009